(57)【要約】【課題】心材と一緒に加工することができる木材の加工処理方法を提供する。【解決手段】木材の材料を選ぶ、加圧する、加熱する及び切るプロセスを有する木材の加工処理方法であって、木材の材料を選ぶプロセスは木を切り取った後、まず小枝と樹皮を取り除け、材料を予定の形に切っており、加圧するプロセスは木材を加圧し、心材に含む水分を流し出し、木材の全体的な含水量を予定値に降下させており、加熱するプロセスは木材が加熱されると共に、木材の全体的な含水量は６から８％の均一の状態になり、切るプロセスは機械のナイフによって木材が予定の形に切られていることを特徴とする木材の加工処理方法。【選択図】　　　　図１
2004017577.tif 000002
【特許請求の範囲】
【請求項１】
木材の材料を選ぶ、加圧する、加熱する及び切るプロセスを有する木材の加工処理方法であって、
木材の材料を選ぶプロセスは木を切り取った後、まず小枝と樹皮を取り除き、材料を予定の形に切っており、
加圧するプロセスは木材を加圧し、心材に含む水分を流れ出し、木材の全体的に含水量を予定値に降下させており、
加熱するプロセスは木材が加熱されると共に、木材の全体的な含水量は６から８％の均一の状態になり、
切るプロセスは機械のナイフによって木材が予定の形に切られていることを特徴とする木材の加工処理方法。
【請求項２】
木材の材料を選ぶと加圧するプロセスの間に薬水を使うプロセスが増加され、切り取った木材に腐りと蟲害を防止するため薬水を使っておることを特徴とする請求項１に記載の木材の加工処理方法。
【請求項３】
加圧するプロセスは複数の加圧プレートで油圧タンクによって木材の周縁に圧力を施し、加圧する際の温度は２００℃に制御すると共に、予定の圧力によって３０秒ほど加圧し続けており、木材の全体的な含水量は５０から６０％の均一の状態になることを特徴とする請求項１又は２に記載の木材の加工方法。
【発明の詳細な説明】
【０００１】
【発明の属する技術分野】
本発明は、特に心材と一緒に加工することができる木材の加工処理方法に関するものである。
【０００２】
【従来の技術】
木材は良く使用される建築、家具方面などの基本材料である。木材は木を切ることによって取得されている。木を切った後、普段にまず小枝と樹皮を取り除き、予定の形に切り、蟲害を防止するため木の種類によって薬水が使われ、更に木の中における水分を取り除くため乾燥されている。水分と養分を輸送する作用を備える木の心材は木の他の部分より水分が良く飽き含まれるから、木材を乾燥する際、含水量が不平均となることによって裂き開き、変形又は強度不足の現象が起こっている。そして、木材を取材する際、ほとんど心材の部分を避け、木材が図５と図６に示すような状態に切られている。図５に示すように、これは木の心材（４０）でない部分を予定の形に複数の木材（３０）に切り出し、心材（４０）を避ける状態である。
【０００３】
又、図６に示すように、先ず木が片状のように切られており、更に心材ではない片状の木を木材（３０）に組合い、最後に該木材（３０）が予定の形（例えば、円形など）に切られておる。
【０００４】
【本発明が解決しようとする課題】
しかしながら、上記の従来の方法には、以下のような問題がある。
１、木の使用率は低い：心材（４０）を避けるため心材（４０）を取り除かなければならず、それによると、木の使用率が低くなり、約４０から５０％ぐらいの木が使用されており、このため広い森林が切られ、自然が大変に破壊されている。
【０００５】
２、材料が浪費される：より大きい寸法の木材を必要する際、もっと大きい寸法の木から木材を取得しなければならない。従って、より小さい木材の使用率が低くなり、森林資源が浪費されている。
【０００６】
３、加工処理のプロセスが複雑である：従来の加工処理のプロセスは木を切る方式で心材（４０）を避けるため、加工処理のプロセスが大変面倒である。特に図６に示すように、組合方式で木材（３０）が作られ、作業時間と人工がかかっており、製造コストも上げてしまう。
【０００７】
４、木材の構造の強度がよくない：特に図５に示すような組合方式によって製造された木材は複数の片体から組合うので、一体形成によってなる木材より構造の強度が弱く、使用寿命も短く、使用範囲も狭い。更に、若し組合の片状の木は異なる種類であれば、構造強度が弱いだけではなく、完成品の美観性もよくない。
【０００８】
【課題を解決するための手段】
上記の課題を解決するために、本発明は、
木材の材料を選ぶ、加圧する、加熱する及び切るプロセスを有する木材の加工処理方法であって、
木材の材料を選ぶプロセスは木を切り取った後、まず小枝と樹皮を取り除き、材料を予定の形に切っており、
加圧するプロセスは木材を加圧し、心材に含む水分を流し出し、木材の全体的に含水量を予定値に降下させており、
加熱するプロセスは木材が加熱されると共に、木材の全体的な含水量は６から８％の均一の状態になり、
切るプロセスは機械のナイフによって木材が予定の形に切られていることを特徴とする木材の加工処理方法。
【０００９】
【発明の実施の形態】
以下、添付図面を参照して本発明の好適な実施の形態を詳細に説明する。
【００１０】
図１は本発明に係わる木材の加工処理方法のフローチャートであり、図２は本発明に係わる木材の加工処理方法によって方形断面の木材を加工する状態を示す参考図であり、図３は本発明に係わる木材の加工処理方法によって円形断面の木材を加工する状態を示す参考図であり、図４は本発明に係わる木材の加工処理方法によって利用される木の一部を示す参考図である。
【００１１】
図１に示すように、本発明の木材の加工処理方法は木材の材料を選ぶ、薬水を使う、加圧する、加熱する及び切る五つのプロセスを有する。
【００１２】
木材の材料を選ぶプロセスは木を切り取った後、まず小枝と樹皮を取り除き、更に、材料を予定の形に切っている。例えば、図２に示すように方形であり、又は図３に示すように円形である。
【００１３】
薬水を使うプロセスは切り取った木材に腐りと蟲害を防止するため薬水を使っており、だが、杉などの木は薬水を使わなくても良い。
【００１４】
加圧するプロセスは木材を加圧し、心材に含む水分を流し出し、木材の全体的な含水量を予定値に降下させている。
【００１５】
図２と図３に示すように、加圧の方式は複数の加圧プレート（１０）で油圧タンク（１２）によって木材（２０）の周縁に圧力を施す。加圧する際の温度は２００℃に制御すると共に、予定の圧力によって３０秒ほど加圧し続けており、それによると、心材（２２）と他の部分に含む水分は木材の両端から流れ出し、従って、木材（２０）の全体的な含水量は５０から６０％の均一の状態になる。
【００１６】
加熱するプロセスは木材（２０）が加熱されると共に、木材（２０）の全体的な含水量は６から８％の均一の状態になる。
【００１７】
切るプロセスは機械のナイフによって木材（２０）が予定の形に切られており、木材（２０）の加工処理を完成させ、建築又は家具の材料になる。
【００１８】
【発明の効果】
本発明は以上説明したようになるから、次のような効果を得ることができる。
１．　　木材（２０）を成型するとき心材（２２）が切られず、全ての木を加工することができ、木の使用率が８０％以上に達成され、もっと広い森林を切る必要がなく、更に、ほぼ同じ寸法の木を使うによって木材が製造され、従来のようにより大きい寸法の木から製造する必要ではなく、より小さい木でも使える。図４に示すように、本発明は有効的に森林資源が使用され、木材（２０）が無駄に使用されることがない。
２．　　本発明は従来のように心材（２２）を避けることによって木材（２０）を加工する或いは図５に示すように組合方式によって木材（２０）を製造することではなく、木材の加工処理プロセスが縮減され、加工するための時間と人力が良く節約されると共に、製造コストも下げている。
３．　　本発明によって製造した心材（２２）を有する木材（２０）は一本の木から製造されるので、構造強度がより強いだけではなく、美観性も向上されている。
４．　本発明は木材を加熱する前、加圧するプロセスが行われ、これにより、木材（２０）の全体的な含水量は５０から６０％の均一の状態になり、従って、加熱する際、含水量が高い心材によって裂き開き、変形又は強度不足の現象を起こさないため、木材の使用率を向上することができる。
【図面の簡単な説明】
【図１】本発明に係わる木材の加工処理方法のフローチャートである。
【図２】本発明に係わる木材の加工処理方法によって方形断面の木材を加工する状態を示す参考図である。
【図３】本発明に係わる木材の加工処理方法によって円形断面の木材を加工する状態を示す参考図である。
【図４】本発明に係わる木材の加工処理方法によって利用される木の一部を示す参考図である。
【図５】従来の木材の加工処理方式の実施例一を示す参考図である。
【図６】従来の木材の加工処理方式の実施例二を示す参考図である。
【符号の説明】
１０　　　　加圧プレート
１２　　　　油圧タンク
２０　　　　木材
２２　　　　心材
３０　　　　木材
４０　　　　心材
【図１】
2004017577.tif 000003
【図２】
2004017577.tif 000004
【図３】
2004017577.tif 000005
【図４】
2004017577.tif 000006
【図５】
2004017577.tif 000007
【図６】
2004017577.tif 000008